(57)【要約】【課題】当たり心地に優れ、口腔内全体を良好に清掃できる口腔内清掃具を提供する。【解決手段】シート状基材４に第一のフィラメント１０と第二のフィラメント２０、３０とが突設され、前記第一のフィラメント１０は、両端が前記シート状基材４に固定されたループ状とされ、前記第二のフィラメント２０、３０は、一端が前記シート状基材４に固定され、他端が自由端とされていることよりなる。前記第二のフィラメント２０の突端部２２は、円弧状に屈曲していることが好ましい。【選択図】図２
2013198672.tif 000002
【特許請求の範囲】
【請求項１】
シート状基材に第一のフィラメントと第二のフィラメントとが突設され、
前記第一のフィラメントは、両端が前記シート状基材に固定されたループ状とされ、
前記第二のフィラメントは、一端が前記シート状基材に固定され、他端が自由端とされていることを特徴とする口腔内清掃具。
【請求項２】
前記第二のフィラメントの突端部は、円弧状に屈曲していることを特徴とする請求項１に記載の口腔内清掃具。
【発明の詳細な説明】
【技術分野】
【０００１】
本発明は、口腔内清掃具に関する。
【背景技術】
【０００２】
一般に、口腔内を清掃する際には、口腔内清掃具として歯ブラシが用いられており、歯ブラシを用いた口腔内清掃は、歯面や歯間等に付着した汚れを取り除くのに有効である。
近年、衛生志向の高まりから、歯面や歯間に付着した汚れをより効果的に取り除くことに加え、歯肉、口腔粘膜や舌等、口腔内全体を清掃するため、舌ブラシ、歯間ブラシ、フロス、スポンジブラシ等、歯ブラシ以外の口腔内清掃具が歯ブラシと併用されている。このように、口腔内全体を適切に清掃することは、複数の口腔内清掃具を用いるため、煩雑であった。
また、手軽に口腔内全体を清掃できる洗口剤が知られているが、歯ブラシ等の口腔内清掃具を用いて物理的に歯垢等を取り除く方法に比べて、清掃効果の面で劣る。
【０００３】
こうした問題に対し、指を挿入できるように成形した不織布からなる指サック式摺擦具が提案されている（例えば、特許文献１）。
不織布による口腔内清掃は、不織布が清掃対象部位の形状に合わせてフィットし、かつ柔らかな当たり心地を与え、口腔粘膜や舌を良好に清掃できる。
【先行技術文献】
【特許文献】
【０００４】
【特許文献１】特開２０００−１２６２２５号公報
【発明の概要】
【発明が解決しようとする課題】
【０００５】
しかしながら、特許文献１の発明は、口腔粘膜や舌を良好に清掃できるものの、歯間部や歯頸部等の狭小部、歯面等に付着した汚れを取り除きにくかった。また、単に歯ブラシで口腔粘膜や舌を擦掃すると、擦掃部位を傷つけるおそれがあった。
そこで、本発明は、当たり心地に優れ、口腔内全体を良好に清掃できる口腔内清掃具を目的とする。
【課題を解決するための手段】
【０００６】
本発明の口腔内清掃具は、シート状基材に第一のフィラメントと第二のフィラメントとが突設され、前記第一のフィラメントは、両端が前記シート状基材に固定されたループ状とされ、前記第二のフィラメントは、一端が前記シート状基材に固定され、他端が自由端とされていることを特徴とする。
前記第二のフィラメントの突端部は、円弧状に屈曲していることが好ましい。
【発明の効果】
【０００７】
本発明の口腔内清掃具によれば、シート状基材に第一のフィラメントと第二のフィラメントとが突設され、前記第一のフィラメントは、両端が前記シート状基材に固定されたループ状とされ、前記第二のフィラメントは、一端が前記シート状基材に固定され、他端が自由端とされているため、当たり心地に優れ、口腔内全体を良好に清掃できる。
本発明の口腔内清掃具によれば、前記第二のフィラメントの突端部は、円弧状に屈曲しているため、当たり心地により優れる。
【図面の簡単な説明】
【０００８】
【図１】本発明の一実施形態にかかる口腔内清掃具の斜視図である。
【図２】本発明の一実施形態にかかる口腔内清掃具の部分側面図である。
【図３】植毛部の剛性の測定方法を説明する模式図である。
【図４】口腔内清掃時における口腔内清掃具の模式図である。
【図５】清掃対象部位の一例を説明する模式図である。
【図６】図５の清掃対象部位に対する清掃効果を説明する模式図である。
【図７】本発明の一実施形態にかかる口腔内清掃具の部分側面図である。
【図８】本発明の一実施形態にかかる口腔内清掃具の部分側面図である。
【図９】本発明の一実施形態にかかる口腔内清掃具の部分側面図である。
【図１０】本発明の一実施形態にかかる口腔内清掃具の斜視図である。
【図１１】比較例の口腔内清掃具の部分側面図である。
【図１２】比較例の口腔内清掃具の部分側面図である。
【発明を実施するための形態】
【０００９】
本発明の一実施形態にかかる口腔内清掃具について、以下に図１〜２を用いて説明する。
図１に示すように、本実施形態の口腔内清掃具１は、シート状基材４の植毛面４２に、複数のフィラメントが突設された植毛部２が設けられたものである。
図２に示すように、植毛部２は、フィラメントの両端がシート状基材４に固定され、ループ状とされた第一のフィラメント１０と、フィラメントの一端がシート状基材４に固定され、他端が自由端とされた第二のフィラメント２０、３０とを備えるものである。本実施形態においては、第二のフィラメントとして、突端部２２が円弧状に屈曲し、先端２４が植毛面４２側に折り返された第二のフィラメント（以下、フック状フィラメント）２０と、植毛面４２に対し傾斜し、先端が突端部３２とされた第二のフィラメント（以下、傾斜フィラメント）３０とが突設されている。本実施形態においては、３つの第一のフィラメント１０で、１つの第一のフィラメント単位１１が構成され、１つのフック状フィラメント２０と１つの傾斜フィラメント３０により、第二のフィラメント単位２１が構成されている。
【００１０】
シート状基材４の材質は、可撓性を有するものであれば特に限定されず、例えば、ポリエチレン、ポリプロピレン等のポリオレフィン、ポリエチレンテレフタレート等のポリエステル、ポリアミド等の樹脂製のシート、樹脂製の繊維、もしくは木綿、用毛等の天然繊維からなる織物又は不織布等が挙げられる。
【００１１】
シート状基材４の厚さＴは、材質等を勘案して決定でき、例えば、５０〜８００μｍとされる。上記下限値未満であると、口腔内清掃時に破損するおそれがあり、上記上限値超であると、可撓性が損なわれて清掃対象部位に植毛部２がフィットできず、十分な清掃効果を得られないおそれがある。
【００１２】
シート状基材４の長さＬは、特に限定されないが、例えば、５０〜１００ｍｍとされる。上記下限値未満では、小さすぎて清掃効率が低くなるおそれがあり、上記上限値超では、口腔内で操作しにくく、十分な清掃効果を得られないおそれがある。
シート状基材４の幅Ｗは、長さＬと同様である。
【００１３】
第一のフィラメント１０の材質は、例えば、６−１２ナイロン、６−１０ナイロン等のポリアミド、ポリエチレンテレフタレート（ＰＥＴ）、ポリブチレンテレフタレート（ＰＢＴ）、ポリトリメチレンテレフタレート（ＰＴＴ）、ポリエチレンナフタレート（ＰＥＮ）、ポリブチレンナフタレート（ＰＢＮ）等のポリエステル、ポリプロピレン（ＰＰ）等のポリオレフィン、オレフィン系エラストマー、スチレン系エラストマー等（エラストマー）の樹脂製の単繊維又はこれを用いた撚り糸、木綿や用毛等の天然繊維からなる撚り糸等が挙げられる。
【００１４】
植毛面４２から第一のフィラメント１０の突端部１２までの長さ、即ち、第一のフィラメント１０の高さＨ１は、特に限定されないが、例えば、０．５〜１０ｍｍが好ましく、１〜３ｍｍがより好ましい。上記下限値未満では、十分な清掃効果を得られないおそれがあり、上記上限値超では、口腔内で操作しにくく、十分な清掃効果を得られないおそれがある。
【００１５】
第一のフィラメント１０の太さは、材質や高さＨ１を勘案して決定され、例えば、１〜２００μｍが好ましく、１〜５０μｍがより好ましい。上記下限値未満では、柔らかすぎて、口腔内に付着している汚れを十分に取り除けないおそれがあり、上記上限値超では、硬すぎて、口腔粘膜や舌への刺激が強くなりすぎるおそれがある。
なお、フィラメントの太さは、拡大投影機（Ｐｒｏｆｉｌｅ  Ｐｒｏｊｅｃｔｏｒ  ＰＪ３００、株式会社ミツトヨ製）を用い、拡大倍率１００倍で測定された値である（以降において同じ）。
【００１６】
第一のフィラメント１０の剛性は、低すぎると十分な清掃効果を得られない場合があり、高すぎると柔らかな当たり心地が損なわれるおそれがある。
【００１７】
フック状フィラメント２０の材質は、第一のフィラメント１０と同様である。フック状フィラメント２０の材質は、第一のフィラメント１０の材質と同じであってもよいし、異なっていてもよい。
【００１８】
植毛面４２からフック状フィラメント２０の突端部２２までの長さ、即ち、フック状フィラメント２０の高さＨ２は、例えば、０．５〜１０ｍｍが好ましく、０．５〜２ｍｍがより好ましい。上記下限値未満では、十分な清掃効果を得られないおそれがあり、上記上限値超では、口腔内で操作しにくく、十分な清掃効果を得られないおそれがある。
フック状フィラメント２０の高さＨ２は、第一のフィラメント１０の高さＨ１と同じであってもよいし、異なっていてもよい。フック状フィラメント２０の突端部２２は円弧状とされており、この突端部２２は口腔粘膜や舌に付着している汚れを取り除くのに適している。加えて、突端部２２は、清掃対象部位を傷つけにくい。従って、フック状フィラメント２０の高さＨ２は、第一のフィラメント１０の高さＨ１と等しいことが好ましい。
【００１９】
フック状フィラメント２０の太さは、材質等を勘案して決定でき、例えば、１０〜５００μｍが好ましく、２０〜３００μｍがより好ましい。上記下限値未満では、柔らかすぎて、歯間部や歯頸部の汚れを十分に取り除けないおそれがあり、上記上限値超では、硬すぎて、口腔粘膜や舌への刺激が強くなりすぎるおそれがある。
【００２０】
フック状フィラメント２０の剛性は、低すぎると十分な清掃効果を得られない場合があり、高すぎると柔らかな当たり心地が損なわれるおそれがある。
【００２１】
フック状フィラメント２０の剛性は、第一のフィラメント１０の剛性よりも高いことが好ましい。フック状フィラメント２０は、その先端２４が歯間部や歯頸部等の狭小部に入り込むことにより、狭小部に付着している汚れを掻き出す。一方、第一のフィラメント１０は、舌や口腔粘膜等に付着している汚れを取り除くものの、狭小部に入り込めない。従って、狭小部を清掃する際には、第一のフィラメント１０が容易に圧縮され、フック状フィラメント２０が狭小部に入り込むように、フック状フィラメント２０の剛性が第一のフィラメント１０の剛性よりも高いことが好ましい。
第一のフィラメント１０及びフック状フィラメント２０の剛性は、材質と高さと太さとを組み合わせることで調節される。
【００２２】
傾斜フィラメント３０の材質は、フック状フィラメント２０の材質と同様である。
植毛面４２から傾斜フィラメント３０の突端部３２までの長さ、即ち、傾斜フィラメント３０の高さＨ３は、特に限定されないが、例えば、第一のフィラメント１０の高さＨ１の３０〜７０％とされる。傾斜フィラメント３０は、フィラメントの先端が突端部３２とされているため、突端部３２が舌や口腔粘膜に当接すると、強い刺激を与える場合がある。高さＨ３が上記範囲内であれば、歯面を清掃する際等、清掃対象部位に対して特に強い圧力をかける場合にのみ、突端部３２が清掃対象部位に当接する。
傾斜フィラメント３０の太さは、フック状フィラメント２０の太さと同様である。
傾斜フィラメント３０の剛性は、フック状フィラメント２０の剛性と同様に、材質と高さと太さとを組み合わせることで調節される。
【００２３】
第一のフィラメント単位１１と第二のフィラメント単位２１とは混在していてもよいし、第一のフィラメント単位１１のみが設けられた領域と第二のフィラメント単位２１のみが設けられた領域とが植毛面４２に形成されていてもよい。ただし、口腔内に柔らかな当たり心地を与えつつ、清掃効果を高める観点から、第一のフィラメント単位１１と第二のフィラメント単位２１とは混在していることが好ましい。
【００２４】
植毛部２における単位面積当たりのフィラメント単位の数（フィラメント密度）は、例えば、３５〜７０単位／ｃｍ２が好ましく、３５〜６０単位／ｃｍ２がより好ましい。上記下限値未満であると、清掃効率が低くなるおそれがあり、上記上限値超では、口腔内への当たり心地が硬くなりすぎるおそれがある。
【００２５】
植毛部２の１ｃｍ２当たりにおいて、第一のフィラメント単位数／第二のフィラメント単位数で表される比（第一／第二フィラメント単位比）は、好ましくは０．５〜１０であり、より好ましくは０．８〜５である。上記下限値未満であると、舌や口腔粘膜への当たり心地が硬くなりすぎるおそれがあり、上記上限値超では、狭小部に対する清掃効果が不十分になるおそれがある。
【００２６】
植毛部２の剛性は、０．５〜３．２ｋｇが好ましく、０．７〜１．６ｋｇがより好ましく、０．７〜１．５ｋｇがさらに好ましい。上記下限未満であると、十分な清掃効果を得られないおそれがあり、上記上限値超であると、舌や口腔粘膜に対する刺激が強くなりすぎるおそれがある。
植毛部２の剛性の測定方法について、図３を用いて説明する。直径２ｃｍの円柱プランジャ５０を植毛部２の上面に当接させ、次いで、０．８ｍｍ押下げた時の応力を測定し、これを植毛部２の剛性とする。
植毛部２の剛性は、第一のフィラメント１０、フック状フィラメント２０又は傾斜フィラメント３０の材質や太さ、フィラメント密度、第一／第二フィラメント単位比を組み合わせることで調節できる。
【００２７】
本実施形態の口腔内清掃具１は、例えば、以下の方法により製造される。
第二のフィラメントを構成するフィラメントを、ニードルパンチ法で植毛面４２にループ状に突設する。次いで、このループ状のフィラメントを任意の位置で切断して、フック状フィラメント２０と傾斜フィラメント３０とを設ける。前記のループ状のフィラメントの切断された部分が、先端２４又は突端部３２となる。
次いで、第一のフィラメント１０を構成するフィラメントを用い、これをニードルパンチ法により、植毛面４２にループ状に突設する。
こうして、第一のフィラメント１０とフック状フィラメント２０と傾斜フィラメント３０とが突設された口腔内清掃具１が得られる。
【００２８】
次に、本実施形態の口腔内清掃具１の使用方法について説明する。
まず、植毛部２に歯磨剤を塗布する。歯磨剤としては、従来公知の練り歯磨剤、液体歯磨剤、洗口剤等が用いられる。
植毛面４２の反対面（背面）４４に指を当て、口腔内清掃具１を把持し、植毛部２で清掃対象部位を擦掃する。この際、シート状基材４は可撓性を有しているため、清掃対象部位の形状に応じて撓み、植毛部２を清掃対象部位に適切に当接できる。
舌や口腔粘膜等を清掃対象部位とする場合には、比較的弱い力で擦掃する。舌や口腔粘膜を清掃する際の口腔内清掃具１の状態について、図４を用いて説明する。図４は、清掃対象部位６０である舌や口腔粘膜を清掃する際の口腔内清掃具１の状態を説明する模式図である。図４に示すように、植毛部２で清掃対象部位６０を擦掃した際、第一のフィラメント１０がループ状とされているため、円弧状の突端部１２が清掃対象部位６０の表面に付着した汚れを掻き取る。この際、第一のフィラメント単位１１は、全体として適度な弾力で清掃対象部位６０に当接するため、柔らかな当たり心地を与えられる。加えて、第一のフィラメント１０には、フィラメントの先端が存在しないため、清掃対象部位６０に強い刺激を与えたり、清掃対象部位６０を傷つけたりすることがない。また、フック状フィラメント２０は、突端部２２が清掃対象部位６０に当接して撓み、先端２４が清掃対象部位６０に当接しないため、清掃対象部位６０に強い刺激を与えたり、清掃対象部位６０を傷つけたりしない。
【００２９】
一方、歯面や歯頸部等を清掃対象部位とする場合には、舌や口腔粘膜を清掃対象部位とする場合に比べて強い力で擦掃する。例えば、歯頸部を清掃する際の口腔内清掃具１の状態について、図５〜６を用いて説明する。図５は、歯頸部を説明する模式図であり、図６は、図５の領域６６を清掃する際の口腔内清掃具１の状態を説明する模式図である。
歯頸部は、歯冠と歯根との境目であり、一般には、歯牙６２と歯肉６４との境目６５に位置する。この境目６５は、歯垢等の汚れが滞留しやすく、う蝕されやすい部位の１つである（図５）。
図６に示すように、植毛部２で歯牙６２や境目６５を擦掃すると、第一のフィラメント１０は、円弧状の突端部１２が歯肉６４に当接して撓んで、柔らかい当たり心地を与えるものの、境目６５に入り込めない。また、傾斜フィラメント３０は、突端部３２が歯肉６４に当接しないため、歯肉６４を傷つけることがない。
一方、フック状フィラメント２０は、歯肉６４や歯面に当接された際に植毛面４２に向かって縮むように撓み、この撓みが解除されると先端２４が境目６５に入り込む。そして、境目６５に付着している汚れを掻き取る。
さらに強い力で歯牙６２の歯面や咬合面等を清掃すると、傾斜フィラメント３０の突端部３２が歯面に付着している汚れを取り除く。例えば、歯面や咬合面に汚れが強固に付着している場合、強い力で擦掃することで、突端部３２によって強固に付着した汚れを取り除くことができる。
【００３０】
上述の通り、本実施形態の口腔内清掃具によれば、シート状基材に第一のフィラメントと第二のフィラメントとが突設されているため、柔らかな当たり心地を与えつつ、口腔内全体を良好に清掃できる。
加えて、本実施形態の口腔内清掃具は、第二のフィラメントとして、フック状フィラメントを備えているため、舌、口腔粘膜や歯肉への当たり心地をより柔らかなものにしつつ、狭小部を良好に清掃できる。
【００３１】
本発明は、上述の実施形態に限定されるものではない。
上述の実施形態では、第一のフィラメント単位が、３つの第一のフィラメントで構成されているが、本発明はこれに限定されず、第一のフィラメント単位を構成する第一のフィラメントの数は、２つ以下であってもよいし、４つ以上であってもよい。
【００３２】
上述の実施形態では、第二のフィラメント単位が、１つのフック状フィラメントと１つの傾斜フィラメントで構成されているが、本発明はこれに限定されず、２つ以上のフック状フィラメントと２つ以上の傾斜フィラメントとで、第二のフィラメント単位が構成されていてもよい。
また、例えば、第二のフィラメント単位は、フック状フィラメント又は傾斜フィラメントのみで構成されていてもよい。
【００３３】
上述の実施形態では、第二のフィラメント単位を構成する第二のフィラメントとして、突端部が円弧状とされ、先端が植毛面側に折り返されたフック状フィラメントと、植毛面に対し傾斜し、先端が突端とされた傾斜フィラメントとが用いられている。
しかしながら、本発明の第二のフィラメントは、一端がシート状基材に固定され、他端が自由端とされていればよく、例えば、図７の口腔内清掃具１００のように、植毛面４２に対して垂直に起立した直線状の第二のフィラメント１２０からなる第二のフィラメント単位１２１が設けられていてもよい。第二のフィラメント単位１２１を構成する第二のフィラメント１２０の数は、特に限定されない。
また、図８の口腔内清掃具２００のように、植毛面４２に対して垂直に起立した波型の第二のフィラメント２２０からなる第二のフィラメント単位２２１が設けられていてもよい。第二のフィラメント単位２２１を構成する第二のフィラメント２２０の数は、特に限定されない。
あるいは、図９の口腔内清掃具３００のように、円弧状に湾曲しフィラメントの先端が突端部とされた第二のフィラメント（円弧状フィラメント）３２０と傾斜フィラメント３０とで、第二のフィラメント単位３２１が構成されたものであってもよい。
また、例えば、第二のフィラメント単位は、上述したフック状フィラメント、傾斜フィラメント、直線状のフィラメント、波型のフィラメント及び円弧状フィラメントから選択された２種以上が組み合わされたものであってもよい。
あるいは、例えば、第二のフィラメントは、上述したフック状フィラメント、傾斜フィラメント、直線状のフィラメント、波型のフィラメント及び円弧状フィラメントから選択された２種以上がそれぞれ独立した第二のフィラメント単位としてシート状基材に突設されたものであってもよい。
ただし、当たり心地をより柔らかくし、清掃効果をより高める観点からは、第二のフィラメントとして、フック状フィラメントを含むことが好ましい。
【００３４】
第二のフィラメントとして、フィラメントの先端が突端部となる形状のもの（例えば、直線状、波型、円弧状の第二のフィラメント等）を用いる場合、第二のフィラメントの高さは、第一のフィラメントの高さよりも低いことが好ましい。このような第二のフィラメントは、舌や口腔粘膜に対し強い刺激を与えやすいためである。
【００３５】
上述の実施形態では、口腔内清掃具が平面視四角形の平板状とされているが、本発明はこれに限定されず、例えば、平面視円形であってもよいし、四角形以外の多角形であってもよい。また、例えば、図１０に示す口腔内清掃具４００のように、シート状基材４の対向する端部同士が重ねられて円錘台形状とされ、その外面に第一のフィラメント単位１１と第二のフィラメント単位２１とからなる植毛部２が設けられたものであってもよい。口腔内清掃具４００のような形状とすることで、円錘台形状の内部に指を入れ、口腔内を清掃できるため、操作性を高められる。
【００３６】
上述の実施形態では、シート状基材の一方の面にのみ植毛部が設けられているが、本発明はこれに限定されず、シート状基材の両面に植毛部が設けられていてもよい。
【実施例】
【００３７】
以下、実施例を示して本発明を詳細に説明するが、本発明は以下の記載によって限定されるものではない。
【００３８】
（実施例１〜６）
表１に示す仕様に従い、シート状基材として長さ５０ｍｍ×幅５０ｍｍ×厚さ５００μｍのポリアミド（ＰＡ）製の織物（株式会社クラレ製）を用い、図１の口腔内清掃具１と同様の口腔内清掃具を製造した。
いずれも第一のフィラメントの高さＨ１を０．８〜２．２ｍｍ、フック状フィラメントの高さＨ２を０．８〜２ｍｍ、傾斜フィラメントの高さＨ３を０．３〜０．７ｍｍとした。表中の高さＨ１及びＨ２は、その平均値を示すものである。
得られた口腔内清掃具について、清掃効果及び当たり心地を評価し、その結果を表１に示す。
【００３９】
（比較例１）
表１に示す仕様に従い、シート状基材として長さ５０ｍｍ×幅５０ｍｍ×厚さ５００μｍのＰＡ製の織物を用い、図１１に示す口腔内清掃具９００と同様の口腔内清掃具を製造した。口腔内清掃具９００は、シート状基材４の植毛面４２に第一のフィラメント単位１１（Ｈ１＝０．８〜２．２ｍｍ）のみが突設されたものである。
得られた口腔内清掃具について、清掃効果及び当たり心地を評価し、その結果を表１に示す。
【００４０】
（比較例２）
表１に示す仕様に従い、シート状基材として長さ５０ｍｍ×幅４０ｍｍ×厚さ５００μｍのＰＡ製の織物を用い、図１２に示す口腔内清掃具９１０と同様の口腔内清掃具を製造した。口腔内清掃具９１０は、シート状基材４の植毛面４２に第二のフィラメント単位２１（Ｈ２＝０．８〜２ｍｍ）のみが突設されたものである。
得られた口腔内清掃具について、清掃効果及び当たり心地を評価し、その結果を表１に示す。
【００４１】
（比較例３）
厚さ５５０μｍの不織布（ワイプオールＸ−６０、材質；ポリプロピレン，パルプ、日本製紙クレシア株式会社製）を長さ５０ｍｍ×幅５０ｍｍに裁断して口腔内清掃具を製造した。
得られた口腔内清掃具について、清掃効果及び当たり心地を評価し、その結果を表１に示す。
【００４２】
（評価方法）
＜清掃効果＞
１０名のモニタが、下記組成の液体歯磨剤を各例の口腔内清掃具に塗布し、口腔内全体を清掃した。各モニタが、歯間部・歯頸部を清掃した際の清掃効果、舌・頬粘膜を清掃した際の清掃効果、及び口腔内全体を清掃した総合的な清掃効果について、下記評価基準に従って評価した。１０名のモニタの平均点を下記判定基準に分類して、清掃効果の評価結果とした。
【００４３】
≪液体歯磨剤の組成≫
エタノール・・・・・・・・・１０質量％
グリセリン・・・・・・・・・２０質量％
サッカリンナトリウム・・・・０．３質量％
香料・・・・・・・・・・・・０．５質量％
塩化セチルピリジニウム・・・０．０１質量％
精製水・・・・・・・・・・・残部
計・・・・・・・・・・・・・１００質量％
【００４４】
≪評価基準≫
４点：汚れが取り除かれた感じが非常にある。
３点：汚れが取り除かれた感じがある。
２点：汚れが取り除かれた感じがわずかにある。
１点：汚れが取り除かれた感じがほとんどない。
【００４５】
≪判定基準≫
◎◎：３．５点以上。
◎：３．０点以上３．５点未満。
○：２．５点以上３．０点未満。
△：１．５点以上２．５点未満。
×：１．０点以上１．５点未満。
【００４６】
＜当たり心地＞
前述の「＜清掃効果＞」と同様にして、１０名のモニタが口腔内全体を清掃し、歯肉、舌及び頬粘膜への当たり心地を下記評価基準に従って評価した。１０名のモニタの平均点を下記判定基準に分類して、当たり心地の評価結果とした。
【００４７】
≪評価基準≫
４点：当たり心地が非常によい。
３点：当たり心地がよい。
２点：当たり心地がまあまあよい。
１点：当たり心地が悪い。
【００４８】
≪判定基準≫
◎◎：３．５点以上。
◎：３．０点以上３．５点未満。
○：２．０点以上３．０点未満。
△：１．５点以上２．０点未満。
×：１．０点以上１．５点未満。
【００４９】
【表１】
2013198672.tif 000003
【００５０】
表１に示すように、本発明を適用した実施例１〜６は、舌・頬粘膜の清掃効果が「◎」又は「◎◎」、清掃効果及び当たり心地の評価が「○」〜「◎◎」であった。
一方、第一のフィラメント単位のみを突設した比較例１は、舌・頬粘膜の清掃効果が「○」、歯間部・歯頸部の清掃効果が「×」、総合的な清掃効果が「△」であった。第二のフィラメント単位のみを突設した比較例２は、舌・頬粘膜の清掃効果が「△」、総合的な清掃効果が「○」、当たり心地が「×」であった。
これらの結果から、本発明を適用することで、当たり心地に優れ、口腔内全体を良好に清掃できることが判った。
【符号の説明】
【００５１】
１、１００、２００、３００、４００    口腔内清掃具
４    シート状基材
１０    第一のフィラメント
２０、３０、１２０、２２０、３２０    第二のフィラメント
２２    突端部
２４    先端
【図１】
2013198672.tif 000004
【図２】
2013198672.tif 000005
【図３】
2013198672.tif 000006
【図４】
2013198672.tif 000007
【図５】
2013198672.tif 000008
【図６】
2013198672.tif 000009
【図７】
2013198672.tif 000010
【図８】
2013198672.tif 000011
【図９】
2013198672.tif 000012
【図１０】
2013198672.tif 000013
【図１１】
2013198672.tif 000014
【図１２】
2013198672.tif 000015